(57)【要約】【課題】不要な音の発生を抑制しつつ、後付部品を簡単に着脱することが可能となる後付部品の着脱構造を提供する。【解決手段】譜面立て２は、電子楽器１の筐体に設けられた複数の通気口のうち、所定の２つの通気口に、２つの取付片３１ａおよび３１ｂを挿入することで、電子楽器１に固定される。これとは逆に、譜面立て２を電子楽器１から取り外すときには、２つの取付片３１ａおよび３１ｂを電子楽器１から引き抜くことで、譜面立て２を電子楽器１から取り外す。【選択図】図３
2007199185.tif 000002
【特許請求の範囲】
【請求項１】
楽器本体に着脱自在に後付けする後付部品の着脱構造であって、
前記楽器本体側に、
第１の開口部を形成した表面部と、
前記第１の開口部の内周縁近部に位置し、当該第１の開口部より小さい形状の第２の開口部を備えた、弾性体からなる保持部材と、
前記第１および第２の開口部に続く第３の開口部を備えた支持部材と
を有するとともに、
前記後付部品側に、
前記第１の開口部より小さく、前記第２の開口部と略同一あるいは微少に大きい形状の突起部であって、前記第１〜第３の開口部を通った上で、前記支持部材によって支持される突起部を含む取付片
を有し、
前記取付片はＬ字形状をなし、該取付片の一端に前記突起部が形成され、該取付片の他端が前記後付部品に回転自在に取り付けられ、該取付片が回転されることにより、該取付片は、当該後付部品から突出または当該後付部品に格納されることを特徴とする後付部品の着脱構造。
【発明の詳細な説明】
【技術分野】
【０００１】
本発明は、楽器に後付部品を着脱自在に取り付け可能な構造に関する。
【背景技術】
【０００２】
楽器に後付部品を着脱自在に取り付け可能な構造として、たとえば、後付部品にネジ穴のあるステーを設け、このネジ穴にネジを差し込んで、楽器の筐体にステーを螺着するようにしたものがある。
【０００３】
また、楽器の筐体に溝を設け、この溝に、後付部品の一部をはめ込んで固定するようにしたものも知られている。
【０００４】
尚、適当な先行技術文献情報は見当たらない。
【発明の開示】
【発明が解決しようとする課題】
【０００５】
しかし、上記従来の後付部品の着脱構造のうち、前者では、後付部品を着脱するときに、ネジを締めたり緩めたりしなければならないので、後付部品を簡単に着脱することができなかった。
【０００６】
また、後者では、演奏者の演奏に起因する楽器本体の揺れや、楽音の発生に起因する楽器本体の振動が後付部品に作用することで、ビビリ音が発生することもあった。
【０００７】
本発明は、この点に着目してなされたものであり、不要な音の発生を抑制しつつ、後付部品を簡単に着脱することが可能となる後付部品の着脱構造を提供することを目的とする。
【課題を解決するための手段】
【０００８】
上記目的を達成するため、請求項１に記載の後付部品の着脱構造は、楽器本体に着脱自在に後付けする後付部品の着脱構造であって、前記楽器本体側に、第１の開口部を形成した表面部と、前記第１の開口部の内周縁近部に位置し、当該第１の開口部より小さい形状の第２の開口部を備えた、弾性体からなる保持部材と、前記第１および第２の開口部に続く第３の開口部を備えた支持部材とを有するとともに、前記後付部品側に、前記第１の開口部より小さく、前記第２の開口部と略同一あるいは微少に大きい形状の突起部であって、前記第１〜第３の開口部を通った上で、前記支持部材によって支持される突起部を含む取付片を有し、前記取付片はＬ字形状をなし、該取付片の一端に前記突起部が形成され、該取付片の他端が前記後付部品に回転自在に取り付けられ、該取付片が回転されることにより、該取付片は、当該後付部品から突出または当該後付部品に格納されることを特徴とする。
【０００９】
好ましくは、前記支持部材は、複数の壁面を連続させた壁面構造をなすことを特徴とする。
【００１０】
さらに好ましくは、前記楽器本体には、所定の目的のために複数個の穴が設けられており、前記開口部は、該複数の穴のうちの一部を用いることを特徴とする。
【発明の効果】
【００１１】
請求項１に記載の発明によれば、後付部品側に設けられた突起部が、楽器本体側に設けられた第１〜第３の開口部を通った上で、楽器本体側に設けられた支持部材によって支持されるので、後付部品を簡単に着脱することが可能となる。また、第２の開口部を備えた保持部材は弾性体からなり、該保持部材を介して、後付部品は楽器本体にがたつきなくしっかり保持されるので、不要な音の発生を抑制することができる。さらに、後付部品が楽器本体から取り外されたときには、取付片は当該後付部品に格納されるので、該取付片が邪魔にならない。これにより、当該後付部品が収納し易くなる。
【発明を実施するための最良の形態】
【００１２】
以下、本発明の実施の形態を図面に基づいて詳細に説明する。
【００１３】
図１は、本発明の一実施の形態に係る後付部品の着脱構造を適用した電子楽器１を前（操作者側）から見下ろしたときの外観を示す斜視図であり、図２は、図１の電子楽器１を後ろから見上げたときの外観を示す斜視図である。
【００１４】
図１および図２に示すように、譜面立て２が、後付部品として、譜面立て２を２点で支える台座部３ａおよび３ｂのそれぞれに設けられた取付片３１ａおよび３１ｂを介して電子楽器１に取り付けられるように構成されている。
【００１５】
図３は、譜面立て２を電子楽器１に対して着脱する様子を示す図である。
【００１６】
同図に示すように、譜面立て２は、電子楽器１の筐体に設けられた複数の通気口のうち、所定の２つの通気口に、２つの取付片３１ａおよび３１ｂを挿入することで、電子楽器１に固定される。
【００１７】
これとは逆に、譜面立て２を電子楽器１から取り外すときには、２つの取付片３１ａおよび３１ｂを電子楽器１から引き抜くことで、譜面立て２を電子楽器１から取り外す。
【００１８】
図４は、１つの取付片３１ａまたは３１ｂを固定するための電子楽器１側の構造を拡大して透視した拡大透視図である。
【００１９】
同図に示すように、１つの取付片３１ａまたは３１ｂを固定するための電子楽器１側の構造は、電子楽器１の筐体に設けられた、所定の２つの穴１１と、取付片３１ａまたは３１ｂを挿入して支持する支持部材４と、電子楽器１の筐体と支持部材４との間に配置され、取付片３１ａまたは３１ｂが支持部材４によって支持されているときに、電子楽器１上に発生した振動などで譜面立て２がぐらつかないように保持する保持部材５とからなる。
【００２０】
図示例の構造では、１つの取付片３１ａまたは３１ｂにつき、その取付片３１ａまたは３１ｂを挿入できる穴１１が２つ設けられている。実際には、穴１１を１つ設ければよいにも拘わらず、このように２つ設けるようにしたのは、譜面立て２を固定する他の方法用に構成した構造を本発明に流用したためである。ここで流用した他の方法の詳細は、本出願人が先に出願した明細書（特願２００５−１０８６１７号）に記載されているので、その説明は省略する。
【００２１】
図５は、支持部材４の斜視図である。
【００２２】
支持部材４は、たとえば樹脂成型によって形成され、同図に示すように、支持部材４には、取付片３１ａまたは３１ｂが挿入されるボス部４１ｂと、電子楽器１の上側の筐体に支持部材４を螺着させるための４つのネジ穴４２ａと、電子楽器１の下側の筐体に支持部材４を螺着させるための１つのネジ穴４３ａとが設けられている。
【００２３】
支持部材４は、複数の壁面を連続させた壁面構造をなし、ボス部４１ｂ（および４１ａ）は、壁面をボス状に形成したものである。そして、ボス部４１ｂ（および４１ａ）の周囲には、補強用のリブが壁面により形成されている。また、ネジ穴４２ａは、壁面４２上に形成され、ネジ穴４３ａは、壁面４３上に形成されている。
【００２４】
ボス部４１ｂ（および４１ａ）の開口部４１ｂ１（および４１ａ１）は、略楕円形状となっている。これに対して、開口部４１ｂ１に挿入される取付片３１ａまたは３１ｂは、図７に示すように、円筒形状となっており、開口部４１ｂ１（および４１ａ１）の短径が取付片３１ａまたは３１ｂの半径と略同一となっている。したがって、開口部４１ｂ１に取付片３１ａまたは３１ｂが挿入された場合、取付片３１ａまたは３１ｂは、開口部４１ａ１および４１ｂ１の長径方向に余裕がある。このため、ボス部４１ｂの長径方向の両側には、取付片３１ａまたは３１ｂが長径方向にぐらつかないように規制する凸部４１ｂ２が設けられている。なお、開口部４１ａ１にのみ、長径方向に余裕が生じるようにしたのは、本発明の特徴ではなく、前記先願発明の特徴であるので、その理由についての説明は省略する。また、ボス部４１ｂの底は、図示しないが、閉口されている。これは、後述するように、ボス部４１ｂ底に取付片３１ａまたは３１ｂが当接することで、取付片３１ａまたは３１ｂの挿入状態を規制するようにしているからである。
【００２５】
図６は、保持部材５の斜視図であり、（ａ）は、取付片３１ａまたは３１ｂを挿入する側から見た図であり、（ｂ）は、（ａ）と反対側から見た図である。
【００２６】
保持部材５は、ゴム等の弾性部材からなり、同図（ａ）に示すように、保持部材５には、取付片３１ａまたは３１ｂが挿入される穴５ｂが形成され、穴５ｂには、取付片３１ａまたは３１ｂを挿入し易いように、テーパー加工が施されている。穴５ｂは、略円形状をなし、その半径は、取付片３１ａまたは３１ｂをがたつきなくしっかり保持するために、取付片３１ａまたは３１ｂの半径よりやや短く採られている。保持部材５の、取付片３１ａまたは３１ｂが挿入される側には、保持部材５の肉厚を薄くするための溝５ｃが形成されている。保持部材５は、この溝５ｃによって折り曲げ易くなっており、保持部材５を支持部材４に取り付ける場合、まず、一方の穴５ａ（または５ｂ）が形成された部位を支持部材４の対応する位置に取り付け、その後、他方の穴５ｂ（または５ａ）が形成された部位を支持部材４の対応する位置に取り付けることができ、これにより、保持部材５の支持部材４への取り付けが容易になる。
【００２７】
保持部材５は、支持部材４のボス部４１ａおよび４１ｂを覆うようにして取り付ける。したがって、保持部材５には、ボス部４１ａおよび４１ｂをそれぞれ覆う被覆部５ｄおよび５ｅが設けられている。そして、前述したように、ボス部４１ａおよび４１ｂの周囲には、それぞれリブが形成されているので、被覆部５ｄおよび５ｅには、そのリブが嵌合する溝５ｄ１および５ｅ１が形成されている。
【００２８】
このように構成された支持部材４および保持部材５を電子楽器１の本体に取り付ける場合、まず、保持部材５の被覆部５ｄまたは５ｅのいずれか一方、たとえば被覆部５ｄを、被覆部５ｄに形成された溝５ｄ１を利用して位置決めしながら、支持部材４のボス部４１ａに嵌め込み、次に、同様にして、被覆部５ｅをボス部４１ｂに嵌めこむ。そして、保持部材５の嵌め込まれた支持部材４の前記４つのネジ穴４２ａのうち、所定の２つのネジ穴にネジ（図示せず）を通して、電子楽器１の上側筐体の内側に設けられたボス部１２に螺着させ、さらに、前記ネジ穴４３ａにネジ（図示せず）を通して、電子楽器１の下側筐体の内側に設けられたボス部１３に螺着させる（図４参照）。これにより、電子楽器１の筐体上の２つの通気口１１のそれぞれと、保持部材５の２つの穴５ａおよび５ｂのそれぞれと、支持部材４の２つの開口部４１ａ１および４１ｂ１のそれぞれとが一直線上につながるので、その一直線上につながった２つの穴の一方に、譜面立て２の取付片３１ａを挿入できるようになる。
【００２９】
同様にして、もう１つの取付片３１ｂを挿入する、電子楽器１の本体側の位置に、もう１組の支持部材４および保持部材５を取り付ける。
【００３０】
図７は、図３中の一方の台座部３ａおよび取付片３１ａの分解斜視図であり、図８は、図７の台座部３ａおよび取付片３１ａを反対側から見たときの分解斜視図である。なお、もう一方の台座部３ｂおよび取付片３１ｂも、台座部３ａおよび取付片３１ａと同様に構成されている。
【００３１】
図７および図８に示すように、取付片３１ａは、たとえば金属によって構成され、Ｌ字状に折り曲げ形成されている。取付片３１ａは、Ｌ字の短部３１ａ１と長部３１ａ２によって構成され、短部３１ａ１は、台座部３ａに設けられた穴３ａ１に挿入され、ネジ３２ａを介して、台座部３に取り付けられる。台座部３の、取付片３１ａの短部３１ａ１が挿入される面には、取付片３１ａの長部３１ａ２が嵌合する、２つの溝３ａ２および３ａ３が、互いに直角に形成されている。溝３ａ２は、図９および図１０に示すように、取付片３１ａが邪魔にならないように、取付片３１ａを譜面立て２の長手方向に仕舞うときに用いられ、溝３ａ３は、取付片３１ａを譜面立て２から突出させて、譜面立て２を電子楽器１に固定させるときに用いられる。なお、取付片３１ａの長部３１ａ２の先端は、挿入し易いように、テーパー形状となっている。
【００３２】
このようにして、取付片３１ａが取り付けられた台座部３ａは、コの字状に形成された凹部３ａ３に譜面立て２を嵌め込んで固着する。同様にして、取付片３１ｂが取り付けられた台座部３ｂの凹部にも、譜面立て２を嵌め込んで固着する。ここで、固着方法は、譜面立て２と台座部３ａおよび３ｂとが容易に離れない方法であれば、どのようなものを用いてもよい。たとえば、接着剤を用いて固着する方法が考えられる。
【００３３】
このように台座部３ａおよび３ｂが固着された譜面立て２を電子楽器１に取り付けるには、そのとき取付片３１ａおよび３１ｂが仕舞った状態、すなわち図９および図１０に示す状態である場合は、まず、取付片３１ａおよび３１ｂを譜面立て２から突出させ、次に、取付片３１ａおよび３１ｂを同時に（あるいは、１つずつ順次）、電子楽器１側の通気口１１に挿入する。このとき、保持部材５の穴５ｂの形状が各取付片３１ａおよび３１ｂの形状よりやや小さいので、各取付片３１ａおよび３１ｂは、なかなか奥に入っていかない。このため、譜面立て２を左右に動かしながら、取付片３１を挿入して行き、各取付片３１ａおよび３１ｂがボス部４１ｂの底面に当接した時点で、譜面立て２の電子楽器１の筐体への取り付けは完了する。
【００３４】
電子楽器１に取り付けられた譜面立て２の取り外しは、上記取り付けと逆に行えばよいので、その説明は省略する。
【００３５】
なお、本実施の形態では、後付部品として、譜面立てを例に挙げて説明したが、これは説明の都合上に過ぎず、たとえば、取付片３１ａおよび３１ｂと同様の取付片が取り付けられたスピーカを後付けするようにしてもよい。
【００３６】
このように、本実施の形態では、後付部品側に設けられた突起部が、電子楽器１の筐体上に設けられた通気口１１、保持部材５の穴５ｂおよび支持部材４のボス部４１ｂを通った上で、楽器本体側に設けられた支持部材によって支持されるので、後付部品を簡単に着脱することが可能となる。さらに、保持部材５は弾性体からなり、後付部品は楽器本体にがたつきなくしっかり保持されるので、不要な音の発生を抑制することができる。
【００３７】
なお、本実施の形態では、後付部品の突起部が挿入される、電子楽器の筐体上の穴として、通気口の一部を用いたが、これは、後付部品を取り外したときに、後付部品用の穴が他の穴と同化して、後付部品用の穴であることが一見しただけでは分からないようにするためである。したがって、大きさが同じ程度の複数の穴が、通気口以外に、電子楽器の筐体上に開いていた場合には、それを用いるようにすればよい。また、複数の穴のそれぞれの大きさは、同じ程度が好ましいものの、多少大きさが異なってもよいし、後付部品用の穴であることが分かるようなマーク（たとえば、“△”）をその穴の近傍に付けるようにしてもよい。
【００３８】
また、本実施の形態では、２つの台座部３ａおよび３ｂにそれぞれ設けた取付片３１ａおよび３１ｂを電子楽器１の筐体に挿入して、電子楽器１上に譜面立て２を設置するようにしたが、台座部の個数も、取付片の個数も、２つに限られる訳ではない。
【００３９】
なお、本実施の形態では、後付部品を着脱自在に取り付ける対象として、電子（鍵盤）楽器を例に挙げて説明したが、これは説明の都合上に過ぎず、他の電子楽器に対しても、電子楽器でないアコースティック楽器に対しても、本発明を適用することができる。
【図面の簡単な説明】
【００４０】
【図１】本発明の一実施の形態に係る後付部品の着脱構造を適用した電子楽器を前から見下ろしたときの外観を示す斜視図である。
【図２】図１の電子楽器を後ろから見上げたときの外観を示す斜視図である。
【図３】譜面立てを電子楽器に対して着脱する様子を示す図である。
【図４】１つの取付片を固定するための電子楽器側の構造を拡大して透視した拡大透視図である。
【図５】図４中の支持部材の斜視図である。
【図６】図４中の保持部材の斜視図である。
【図７】図３中の右側の１組の台座部および取付片の分解斜視図である。
【図８】図７の１組の台座部および取付片を反対側から見たときの分解斜視図である。
【図９】取付片を譜面立ての長手方向に仕舞ったときの状態を示す斜視図である。
【図１０】図９とは反対側から見たときの斜視図である。
【符号の説明】
【００４１】
１…電子楽器，２…譜面立て，３ａ，３ｂ…台座部，３１ａ，３１ｂ…取付片，４…支持部材，４１ａ，４１ｂ…ボス部，５…保持部材
【図１】
2007199185.tif 000003
【図２】
2007199185.tif 000004
【図３】
2007199185.tif 000005
【図４】
2007199185.tif 000006
【図５】
2007199185.tif 000007
【図６】
2007199185.tif 000008
【図７】
2007199185.tif 000009
【図８】
2007199185.tif 000010
【図９】
2007199185.tif 000011
【図１０】
2007199185.tif 000012